(57)【特許請求の範囲】
【請求項１】
靴本体に対し着脱可能な靴底であって、接地側の基体部と、該基体部の上側に前記基体部より高硬度の変形抑制部を有し、該変形抑制部は、外周部が中心部より低硬度であることを特徴とする靴底。
【請求項２】
靴本体に対し着脱可能な靴底であって、接地側の基体部と、該基体部の上側に前記基体部より高硬度の変形抑制部を有し、該変形抑制部は、外周部が中心部より厚みが薄いことを特徴とする靴底。
【請求項３】
前記基体部は、底側の外周部を除く中心部側に複数の凸部を有していることを特徴とする、請求項１または２に記載の靴底。
【発明の詳細な説明】
【０００１】
【発明の属する技術分野】
本発明は、靴底に係り、特に、周辺部の剥離防止性に優れた、靴本体に対し着脱可能な靴底に関する。
【０００２】
【従来の技術】
従来から、靴本体に対し、靴底を面ファスナー等で着脱可能に止着した靴が使用されている。このような靴は、古くなった靴底の交換を容易に行うことが出来るともに、地面の状態に合わせて靴底を選択することが可能となっている。また、このような靴に合わせて交換用の靴底も市販されている。
【０００３】
しかし、このような靴は、歩行時に地面の凹凸によって歪むと、着脱可能に止着された靴底が剥離してしまうという問題があった。
【０００４】
これに対し、特開平８−２０５９０７号公報には、靴本体の底部に着脱可能に止着された靴底の周囲を覆うように、ゴム、フェルト等からなる重合壁を設けて、外部からの異物の侵入を防止するとともに、靴底の上面側に靴底より硬質の受け板を設けて、靴底の剥離を防止した靴が開示されている。
【０００５】
また、特開２００１−２９１０８号公報にも同様に、靴本体の底部に着脱可能に止着された靴底の上面側に靴底より硬質の受け板を設けて、靴底の剥離を防止した靴が提案されている。
【０００６】
これらの靴は、靴底の上面側に靴底より硬質の受け板を設けることにより、靴底の接地面に対し、上面側が歪みにくくなって、靴本体との止着部がそれほど動かなくなり、そのため剥離しにくくなるが、その反面、周辺部においては靴本体側の底部の歪みに追従できなくなって、剥離するという不具合が生じていた。特に、釣り場のような起伏の激しい地形を歩く釣り用の靴の場合には、靴底の剥離が大きな問題となっていた。
【０００７】
【発明が解決しようとする課題】
本発明は、このような事情の下になされ、釣り場のような起伏の激しい地形を歩いても、剥離することのない、剥離防止性を有する着脱可能な靴底を提供することを目的とする。
【０００８】
【課題を解決するための手段】
上記課題を解決するため、本発明は、靴本体に対し着脱可能な靴底であって、接地側の基体部と、該基体部の上側に前記基体部より高硬度の変形抑制部を有し、該変形抑制部は、外周部が中心部より低硬度であることを特徴とする靴底を提供する。
【０００９】
または、本発明は、靴本体に対し着脱可能な靴底であって、接地側の基体部と、該基体部の上側に前記基体部より高硬度の変形抑制部を有し、該変形抑制部は、外周部が中心部より厚みが薄いことを特徴とする靴底を提供する。
【００１０】
以上のように構成される本発明の靴底によると、基体部の上側に基体部より高硬度の変形抑制部を有しているので、基体部の歪みが靴本体との止着部に伝わりにくくなり、靴底が靴本体から剥離しにくくなることに加え、変形抑制部の外周部が中心部より低硬度であるか、または厚みが薄いため、靴底の外周部は基体部の歪みに追従して動くので、靴底と靴本体との止着部の周辺における剥離が防止され、その結果、靴底全体の剥離が防止される。
【００１１】
また、以上の靴底において、基体部が、底側の外周部を除く中心部側に複数の凸部を有している構造とすることが出来る。
【００１２】
このように、基体部が、底側の外周部を除く中心部側に複数の凸部をする構成とすることにより、靴底の外周部は、基体部の歪みに追従して動き易くなり、凹凸を有する地面においても、靴底と靴本体との止着部の周辺における剥離が防止され、その結果、靴底全体の剥離が防止される。
【００１３】
なお、本発明の靴底に用いられる材料は、主として合成ゴムであり、通常、履き物用として用いられる汎用の合成ゴムを用いることが出来る。そのような合成ゴムとして、例えば、スチレンブタジエンゴム、熱可塑性エラストマー等を挙げることが出来る。
【００１４】
また、合成ゴムの硬度は、加硫剤によるゴムの架橋度により決定されるため、加硫剤の量や、加硫条件を変えることにより、硬度の高低を設けることが可能である。
【００１５】
なお、各部材の具体的硬度は、特に限定されないが、例えば、基体部のＨｓ硬度は、２０〜７０度、変形抑制部のＨｓ硬度は、６０〜９５度程度とするのが望ましい。
【００１６】
また、変形抑制部の外周部の硬度を低くする場合、外周部のＨｓ硬度は、４５〜８５度程度であり、変形抑制部の外周部の厚みを薄くする場合、中心部の厚みが０．５〜１０ｍｍに対し、外周部の厚みは０．２〜８ｍｍ程度であるのが望ましい。
【００１７】
本発明の靴底は、接地側の面にスパイクピンを埋め込んだ構成とすることが出来る。あるいはまた、ラジアルソール、デッキソール等の、スパイクピンがなく、接地面に凹凸が大きいパターンが設けられたソールにも適用することが可能である。更には、接地面にフェルトを貼着することも可能である。
【００１８】
【発明の実施の形態】
以下、本発明の実施の形態について、図面を参照して説明する。
図１は、本発明の第１の実施形態に係る靴底を取り付けた靴を示す前後方向側断面図、図２は、図１に示す靴の靴底を取り外した状態を示す前後方向側面図、図３は、図１の左右方向側断面図、図４は、図２の左右方向側断面図、図５は、変形抑制部の低硬度領域と高硬度領域の境界を示す平面図である。
【００１９】
図１において、靴本体１の底部に、靴底２が取り付けられている。靴底２の底面には、多数のスパイクピン３が埋め込まれている。靴底２は、面ファスナー４により靴本体１の底部に取り付けられている。また、図５に示すように、スパイクピン３は、外周部と土踏まずの部分を除く部分に均一に配置されている。
【００２０】
なお、図１に示すように、靴本体１の踵部には、エアクッション５が設けられ、その底部には、蓋体６が取り付けられている。
【００２１】
図２は、図１に示す靴底２を、靴から取りはずした状態を示す断面図である。
【００２２】
靴底２は、多数のスパイクピン３が埋め込まれた多数の突起７を有する基体部８と、面ファスナー（雌）４ｂが取り付けられた変形抑制部９とから構成されている。基体部８と変形抑制部９とは、通常、同種の合成ゴム、たとえばスチレンブタジエンゴムにより構成されるが、基体部８を構成する合成ゴムの硬度は、変形抑制部９を構成する合成ゴムの硬度よりも低く設定されている。ただし、スパイクピン３を保持するのに十分な硬度を有する必要はある。
【００２３】
例えば、基体部８のＨｓ硬度は６５度、変形抑制部９のＨｓ硬度は９０度とした。変形抑制部９は、基体部８の２０％以上高い硬度を有していることが好ましい。
【００２４】
基体部８と変形抑制部９とは、接着剤により接合することも出来るが、同時に成型、加硫することにより、一体的に形成することも出来る。そうすることにより、低コストでの製造が可能である。
【００２５】
靴底の変形防止機能を発揮するため、変形抑制部９を構成する合成ゴムの硬度は、基体部８を構成する合成ゴムの硬度よりも高くなければならないが、その全領域にわたって高硬度ではなく、外周部１０は、低硬度とされている。図５において、破線は、変形抑制部９の中心の高硬度部と、低硬度の外周部１０との境界を示す。例えば、外周部１０のＨｓ硬度は７０度とした。外周部１０の硬度は、基体部８の硬度に近い硬度（基体部８の±２０％以内の硬度）であるのが好ましい。
【００２６】
なお、靴底２が取り外された靴本体１の底面には、面ファスナー（雄）４ａが取り付けられているとともに、凹部１１が形成され、靴底２を取り付ける際には、この凹部１１に靴底２が収容されるようになっている。
【００２７】
なお、変形抑制部９は、中心部と外周部１０の加硫剤の量や加硫条件を変えたり、また気孔率を変えたりして、一体でありながら硬度を変えることができ、また両者を別体の材料で形成してもよい。
【００２８】
以上のように、本実施形態に係る靴底では、基体部８の上側に基体部８より高硬度の変形抑制部９を有しているため、基体部８の歪みが靴本体１との止着部、即ち、面ファスナー４に伝わりにくくなり、靴底２が靴本体１から剥離しにくくなった。また、それに加えて、変形抑制部９の外周部１０が中心部より低硬度であるため、靴底２の外周部１０は基体部８の歪みに追従して動き、それによって靴底２と靴本体１との止着部の周辺における剥離が防止され、その結果、靴底全体の剥離を防止することが出来た。
【００２９】
また、基体部８には、底側の外周部を除く中心部側に多数の突起７が設けられ、突起７のない靴底の外周部に対応して変形抑制部の外周部１０が低硬度に形成されているため、靴底２の外周部は、基体部８の歪みに追従して動き易くなり、凹凸を有する地面においても、靴底と靴本体との止着部の周辺における剥離が防止され、その結果、靴底全体の剥離が防止された。
【００３０】
図６は、本発明の第２の実施形態に係る靴底を取り付けた靴を示す前後方向側断面図、図７は、図６に示す靴の靴底を取り外した状態を示す前後方向側面図、図８は、図６の左右方向側断面図、図９は、図７の左右方向側断面図である。
【００３１】
本実施形態に係る靴底は、変形抑制部が異なることを除いて、第１の実施形態に係る靴底と同様の構成を有する。即ち、第１の実施形態に係る靴底２では、変形抑制部９は、外周部１０が中心部よりも低硬度であるのに対し、本実施形態では、外周部１２が中心部よりも厚みが薄くされている。
【００３２】
例えば、変形抑制部９の中心部の厚みが２ｍｍであるのに対し、外周部１０の厚みは１ｍｍとした。なお、外周部の厚みは、中心部の８０％以下とすることが望ましい。
【００３３】
本実施形態において、突起７のない靴底の外周部に対応して変形抑制部の含羞部１０が薄く形成されている。
【００３４】
【発明の効果】
以上、詳細に説明したように、本発明によると、基体部の上側に基体部より高硬度の変形抑制部を有しているので、基体部の歪みが靴本体との止着部に伝わりにくくなり、そのため靴底が靴本体から剥離しにくくなることに加え、変形抑制部の外周部が中心部より低硬度であるか、または厚みが薄いため、靴底の外周部は基体部の歪みに追従して動くので、靴底と靴本体との止着部の周辺における剥離が防止され、その結果、靴底全体の剥離が防止される。
【図面の簡単な説明】
【図１】本発明の第１の実施形態に係る靴底を取り付けた靴を示す前後方向側断面図。
【図２】図１に示す靴から靴底を取り外した状態の靴を示す前後方向側面図。
【図３】図１の左右方向側断面図。
【図４】図２の左右方向側断面図。
【図５】変形抑制部の低硬度領域と高硬度領域の境界を示す平面図。
【図６】本発明の第２の実施形態に係る靴底を取り付けた靴を示す前後方向側断面図。
【図７】図６に示す靴から靴底を取り外した状態を示す前後方向側面図。
【図８】図６の左右方向側断面図。
【図９】図７の左右方向側断面図。
【符号の説明】
１…靴本体
２…靴底
３…スパイクピン
４…面ファスナー
４ａ…面ファスナー（雄）
４ｂ…面ファスナー（雌）
５…エアクッション
６…蓋体
７…突起
８…基体部
９…変形抑制部
１０，１２…外周部
１１…凹部
【図１】
0004728509.tif 000002
【図２】
0004728509.tif 000003
【図３】
0004728509.tif 000004
【図４】
0004728509.tif 000005
【図５】
0004728509.tif 000006
【図６】
0004728509.tif 000007
【図７】
0004728509.tif 000008
【図８】
0004728509.tif 000009
【図９】
0004728509.tif 000010